(57)【特許請求の範囲】
【請求項１】
ミシンの主軸の回転により上下動すると共に、その下端に布押え具を有する押え棒と、
前記押え棒に固定された押え棒抱き部材と、
ミシンの機枠に回転可能に取り付けられ、その回転軸から偏心した位置に形成された偏心軸を有する偏心部材と、
一端側が前記押え棒抱き部材に連結され、中央部を前記偏心軸に支持された第１リンク部材と、
一端側が前記第１リンク部材の他端側に摺動可能に連結され、中央部を前記機枠に回転可能に支持された第２リンク部材と、
上端部が前記第２リンク部材の他端側に摺動可能に連結され、前記機枠に上下動可能に支持された糸掛け取付部材と、
前記糸掛け取付部材に固定された糸掛け部材と、を備え、
前記偏心部材を回転して、前記押え棒に連動して上下動する前記糸掛け部材の上下ストローク量を調整することを特徴とするミシン。
【発明の詳細な説明】
【技術分野】
【０００１】
本発明は、押え棒とともに上下動する糸掛け具のストロークを調整することが可能なミシンに関する。
【背景技術】
【０００２】
ミシンには針棒、天秤、押え棒が設けられ、針棒の下端にミシン針が取り付けられ、押え棒の下端に押え具が取り付けられ、主軸の回転により針棒、天秤、押え棒が上下動することによって布に縫い目が施される。ミシンの機枠には糸案内、糸掛け具、糸調子装置等が設けられ、糸巻きからの糸が糸案内具、糸調子装置、糸掛け具、天秤等を経由してミシン針に案内される（例えば、特許文献１参照）。
従来のミシンには、押え棒の上下動に連動して糸掛け具が上下動するものと、糸掛け具が機枠に固定されて動かないものとの２種類がある。
【特許文献１】実公平５−４３７５４号公報
【発明の開示】
【発明が解決しようとする課題】
【０００３】
糸掛け具が固定されたタイプのミシンは、縫製時に糸が締まりやすいので主に厚手の布に縫い目を施すのに適している。糸掛け具が押え棒に連動するタイプのミシンは、緩んだ状態の縫い目を施すことができるので主に薄手の布に縫い目を施すの適している。しかしながら、厚手の布にも薄手の布にも綺麗な縫い目を安定して施すことができるミシンはなかった。
【０００４】
そこで、本発明は、上記課題を解決するためになされたものであり、どのような厚さの布でも綺麗な縫い目を安定して施すことができるようにすることを目的とする。
【課題を解決するための手段】
【０００５】
以上の課題を解決するため、請求項１に係る発明は、ミシンの主軸の回転により上下動すると共に、その下端に布押え具を有する押え棒と、前記押え棒に固定された押え棒抱き部材と、ミシンの機枠に回転可能に取り付けられ、その回転軸から偏心した位置に形成された偏心軸を有する偏心部材と、一端側が前記押え棒抱き部材に連結され、中央部を前記偏心軸に支持された第１リンク部材と、一端側が前記第１リンク部材の他端側に摺動可能に連結され、中央部を前記機枠に回転可能に支持された第２リンク部材と、上端部が前記第２リンク部材の他端側に摺動可能に連結され、前記機枠に上下動可能に支持された糸掛け取付部材と、前記糸掛け取付部材に固定された糸掛け部材と、を備え、前記偏心部材を回転して、前記押え棒に連動して上下動する前記糸掛け部材の上下ストローク量を調整することを特徴とする。
【０００６】
以上の発明によれば、偏心部材の回転軸に対して偏心軸が偏心しているので、偏心部材を回転させると、押え棒に対する第１のリンク部材の傾きを調整することができ、これにより第２のリンク部材の回転角を調整することができ、糸掛け取付部材及び糸掛け具の上下ストロークも調整することができる。
【発明の効果】
【０００７】
本発明によれば、偏心部材の回転により糸掛け取付部材及び糸掛け具の上下ストロークを調整することができるので、布の厚みに応じて糸の締まり具合を調整することができ、どのような厚みの布であっても綺麗な縫い目を安定して施すことができる。
【発明を実施するための最良の形態】
【０００８】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【０００９】
図１に示すように、ミシンの機枠１１の内側には主軸１２が回転可能に設けられ、この主軸１２には針棒１３がクランク機構等を介して連結され、この針棒１３が上下動可能に設けられている。針棒１３は機枠１１の内側から機枠１１の外側下方に延出し、針棒１３の下端部にミシン針１４が取り付けられている。また、主軸１２には天秤伝動機構等を介して天秤１５が連結され、この天秤１５が機枠１１の内側から外側前方に延出している。ミシンモータにより主軸１２が回転されることで、天秤１５も上下動し、ミシン針１４が針棒１３とともに上下動し、これにより布に縫い目が施される。
【００１０】
図２に示すように、ミシンは糸掛け具３６の上下ストローク量を調整するためのストローク調整装置３０を有する。このストローク調整装置３０は、押え棒２１と、押え棒２１に取り付けられた押え棒抱き板３１と、機枠１１に回転可能に取り付けられた偏心ツマミ３５と、偏心ツマミ３５の回転軸に対して偏心した偏心軸３５ａの回りに回転可能となって偏心ツマミ３５に連結され、その偏心軸３５ａの半径方向に押え棒抱き板３１の摺動ピン３１ａが摺動可能に連結された第１のリンク板３２を備えている。また、ストローク調整装置３０は、機枠１１に回転可能に取り付けられ、偏心軸３５ａに関して摺動ピン３１ａの反対側において偏心軸３５ａの半径方向に摺動可能に第１のリンク板３２に連結された第２のリンク板３３と、機枠１１に上下動可能に支持され、第２のリンク板３３の回転軸３３ａに関して第１のリンク板３２との連結部の反対側において第２のリンク板３３に連結された糸掛け取付部材３４と、糸掛け取付部材３４に設けられた糸掛け具３６とを備える。なお、図２では図面を見やすくするために、主軸１２、針棒１３及びミシン針１４の図示を省略する。
【００１１】
押え棒２１は機枠１１に昇降可能に支持され、その下端に布を上から押える押え具２２が取り付けられている。バネ力で布を上から押える押えバネ１００に押え棒２１の上端が挿通され、押え棒２１の他端が図示しない押え圧を調整する押え調節ねじに当接され取り付けられている。ミシンモータにより主軸１２が回転されると、図示しない布送り機構の送り歯が針板上面１０１より上昇し、押え具２２との間で布を押え、布送り方向に針板上面１０より上方で運動することにより布が送られる。押え棒２１は、主軸１２に連動して上下動するとともに送り歯の上下動に連動して上下動する。
【００１２】
押え棒抱き板３１、第１のリンク板３２、第２のリンク板３３及び糸掛け取付部材３４は機枠１１の内側に配置されている。
【００１３】
押え棒抱き板３１は押え棒２１に固定され、押え棒２１とともに上下動する。押え棒抱き板３１の縁であってその右端部には、摺動ピン３１ａが凸設されている。
【００１４】
偏心ツマミ３５は機枠１１から一部露出するように機枠１１の前面に取り付けられ、偏心ツマミ３５は機枠１１に対して前後方向の軸回りに回転可能となっている。偏心ツマミ３５の回転軸に対して偏心した位置には、偏心軸３５ａが形成されている。この偏心軸３５ａは第１のリンク板３２の中間部に連結され、第１のリンク板３２が偏心ツマミ３５に対して偏心軸３５ａの回りに回転可能となっている。偏心軸３５ａが偏心ツマミ３５の回転軸に対して偏心しているので、偏心ツマミ３５を回転させれば、第１のリンク板３２の偏心軸３５ａが偏心ツマミ３５の回転軸を中心にして旋回するようになっている。
【００１５】
第１のリンク板３２の左端部には長穴３２ｂが第１のリンク板３２の長手方向に沿って形成され、右端部にも長穴３２ｃが第１のリンク板３２の長手方向に沿って形成されている。長穴３２ｂ、長穴３２ｃは何れも偏心軸３５ａの半径方向に長尺とされている。一方の長穴３２ｃに押え棒抱き板３１の摺動ピン３１ａが挿入され、摺動ピン３１ａが長穴３２ｃの長手方向に沿って摺動可能となっている。
【００１６】
第２のリンク板３３の左右中間部には回転軸３３ａが前方に延出するよう形成され、この回転軸３３ａが機枠１１の前面に連結され、第２のリンク板３３が機枠１１に対して回転軸３３ａの回りに回転可能となっている。第２のリンク板３３の左端部には摺動ピン３３ｃが凸設され、この摺動ピン３３ｃが第１のリンク板３２の長穴３２ｂに挿入され、摺動ピン３３ｃが長穴３２ｂの長手方向に沿って摺動可能となっている。回転軸３３ａに関して摺動ピン３３ｃの反対側であって第２のリンク板３３の右端部には、摺動ピン３３ｂが凸設されている。
【００１７】
糸掛け取付部材３４の上端部には、左右方向に長尺な長穴３４ａが形成され、この長穴３４ａに第２のリンク板３３の摺動ピン３３ｂが挿入され、摺動ピン３３ｂが長穴３４ａの長手方向に沿って摺動可能となっている。
【００１８】
糸掛け取付部材３４は、機枠１１の内側に設けられたガイドによって上下にスライド可能となっている。糸掛け取付部材３４の下端部には、糸掛け具３６が固定されている。この糸掛け具３６は、機枠１１の内側から機枠１１の外側前方に延出し、更に下に折れ曲がっている。糸巻きから導きだされた糸は、糸案内、糸調子器、糸取りバネ等を経由して糸掛け具３６に掛けられ、その後に天秤１５等を経由してミシン針１４に案内される。
【００１９】
次に、作用について説明する。
ユーザが偏心ツマミ３５を回転することによって、図２（ａ）、図２（ｂ）に示すように偏心軸３５ａを偏心ツマミ３５の回転軸よりも左下に位置させる。この状態で、主軸１２の回転により押え棒２１が昇降すると、図２（ａ）、図２（ｂ）に示すように第１のリンク板３２が偏心軸３５ａを中心にして回転するとともに、第２のリンク板３３が回転軸３３ａを中心にして回転し、糸掛け取付部材３４が糸掛け具３６とともに昇降する。
【００２０】
図２（ａ）に示すように押え棒２１が上下動範囲内で下端に位置した状態では、第１のリンク板３２は押え棒２１に対して傾いた状態となり、第２のリンク板３３はほぼ水平な状態となる。図２（ａ）の状態では、糸掛け取付部材３４及び糸掛け具３６が上下ストロークの最下位置にある。
【００２１】
図２（ａ）の状態から押え棒２１が上昇すると、第１のリンク板３２が図２の図示方向において反時計回りに回転して、押え棒２１に対する第１のリンク板３２の傾きが大きくなり、第２のリンク板３３が反時計回りに回転して、水平面に対する第２のリンク板３３の傾きが大きくなり、糸掛け取付部材３４が糸掛け具３６とともに上昇する。ここで、押え棒２１が上昇するときには、摺動ピン３１ａが相対的に偏心軸３５ａに近づくように摺動し、摺動ピン３３ｃも相対的に偏心軸３５ａに近づくように摺動する。
【００２２】
そして、図２（ｂ）に示すように押え棒２１が上下動範囲内で上端に位置した状態では、押え棒２１に対する第１のリンク板３２の傾きが図２（ａ）の状態における傾きよりも大きく、水平面に対する第２のリンク板３３の傾きが図２（ａ）の状態における傾きよりも小さく、糸掛け取付部材３４及び糸掛け具３６は上下ストロークの最上位置にある。そして、押え棒２１が下降すると、第１のリンク板３２が時計回りに回転し、押え棒２１に対する第１のリンク板３２の傾きが小さくなり、第２のリンク板３３が時計回りに回転し、水平面に対する第２のリンク板３３の傾きが小さくなり、糸掛け取付部材３４が糸掛け具３６とともに下降する。
【００２３】
以上のように第１のリンク板３２の偏心軸３５ａが偏心ツマミ３５の回転軸の左下に位置した場合において、糸掛け具３６の上下のストローク量をδ１とする。このストローク量δ１は、押え棒２１の上下動のストローク量にほぼ等しい。
【００２４】
ユーザが偏心ツマミ３５を回転することによって、図３（ａ）、図３（ｂ）に示すように偏心軸３５ａを偏心ツマミ３５の回転軸よりも右上に位置させる。この状態で、主軸１２の回転により押え棒２１が昇降すると、図３（ａ）、図３（ｂ）に示すように第１のリンク板３２が偏心軸３５ａを中心にして回転するとともに、第２のリンク板３３が回転軸３３ａを中心にして回転し、糸掛け取付部材が糸掛け具３６とともに昇降する。
【００２５】
図３（ａ）に示すように押え棒２１が上下動範囲内で下端に位置した状態では、第１のリンク板３２は押え棒２１に対して傾いた状態となり、第２のリンク板３３が水平面に対して傾いた状態となる。図３（ａ）の状態では糸掛け取付部材３４及び糸掛け具３６が上下ストロークの最下位置にある。なお、図２（ａ）の状態と図３（ａ）の状態を比較すると、押え棒２１に対する第１のリンク板３２の傾きは図２（ａ）の状態よりも図３（ａ）の状態のほうが小さい。
【００２６】
図３（ａ）の状態から押え棒２１が上昇すると、第１のリンク板３２が図３の図示方向において反時計回りに回転して、押え棒２１に対する第１のリンク板３２の傾きが大きくなり、第２のリンク板３３が反時計回りに回転して、水平面に対する第２のリンク板３３の傾きが小さくなり、糸掛け取付部材３４が糸掛け具３６とともに上昇する。
【００２７】
そして、図３（ｂ）に示すように押え棒２１が上下動範囲内で上端に位置した状態では、押え棒２１に対する第１のリンク板３２の傾きが図３（ａ）の状態における傾きよりも大きく、水平面に対する第２のリンク板３３の傾きが図３（ａ）の状態における傾きよりも小さく、糸掛け取付部材３４及び糸掛け具３６は上下ストロークの最上位置にある。なお、図２（ｂ）の状態と図３（ｂ）の状態を比較すると、押え棒２１に対する第１のリンク板３２の傾きは図２（ｂ）の状態よりも図３（ｂ）の状態のほうが小さい。
【００２８】
そして、押え棒２１が下降すると、第１のリンク板３２が時計回りに回転し、押え棒２１に対する第１のリンク板３２の傾きが小さくなり、第２のリンク板３３が時計回りに回転し、水平面に対する第２のリンク板３３の傾きが大きくなり、糸掛け取付部材３４が糸掛け具３６とともに下降する。
【００２９】
以上のように第１のリンク板３２の偏心軸３５ａが偏心ツマミ３５の回転軸の右上に位置した場合において、糸掛け具３６の上下のストローク量をδ２とする。
【００３０】
押え棒２１の上下ストローク量が一定であっても、第１のリンク板３２の偏心軸３５ａが偏心ツマミ３５の回転軸の右上に位置した場合の糸掛け具３６のストローク量δ２は、第１のリンク板３２の偏心軸３５ａが偏心ツマミ３５の回転軸の左下に位置した場合の糸掛け具３６のストローク量δ１よりも小さい。このように、偏心ツマミ３５の回転によって押え棒２１に対する第１のリンク板３２の傾きが調整され、押え棒２１の上下ストロークに対する第２のリンク板３３の回転角が調整され、糸掛け取付部材３４及び糸掛け具３６の上下ストローク量が調整される。
【００３１】
押え棒２１の上下ストローク量が一定であっても糸掛け具３６の上下ストローク量を調整することができるので、布地の素材や厚みに応じて糸の締まり具合を調整することができ、どのような布地であっても安定して綺麗な縫い目を施すことができる。例えば、薄手の布地に対しては糸掛け具３６の上下ストロークを大きくすることで、緩んだ状態の縫い目を安定して施すことができ、厚手の布地に対しては糸掛け具３６の上下ストロークを小さくすることで、締まった状態の縫い目を安定して施すことができる。
【００３２】
なお、本発明は上記実施形態に限定されることなく、本発明の主旨を逸脱しない範囲において種々の改良及び設計の変更をおこなっても良い。
例えば、偏心ツマミ３５を図２の状態と図３の状態の間の状態にすれば、糸掛け具３６の上下のストローク量は、図２のストローク量δ１、図３のストローク量δ２以外にも調整可能である。
また、上記実施形態では押え棒２１に固定された押え棒抱き板３１に摺動ピン３１ａが形成されているが、摺動ピン３１ａが押え棒２１に直接形成されていても良い。
【図面の簡単な説明】
【００３３】
【図１】ミシンの左側面図である。
【図２】糸掛け具の上下ストロークを大きくした場合に糸掛け具が下端に位置したときの正面図（ａ）と、糸掛け具が上端に位置したときの正面図（ｂ）である。
【図３】糸掛け具の上下ストロークを小さくした場合に糸掛け具が下端に位置したときの正面図（ａ）と、糸掛け具が上端に位置したときの正面図（ｂ）である。
【符号の説明】
【００３４】
１１  機枠
１２  主軸
３０  ストローク調整装置
３１  押え棒抱き板
３１ａ  摺動ピン
３２  第１のリンク板
３２ｂ、３２ｃ  長穴
３３  第２のリンク板
３３ａ  回転軸
３３ｂ，３３ｃ  摺動ピン
３４  糸掛け取付部材
３５  偏心ツマミ
３５ａ  偏心軸
３６  糸掛け具
【図１】
0004783619.tif 000002
【図２】
0004783619.tif 000003
【図３】
0004783619.tif 000004